【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
ネットワークを介して提供装置がユーザに提供するサービスに関する中継処理を行う中継サービス装置と、前記中継サービス装置と通信し前記サービスに関する関連処理を行う中間サービス装置と、前記中間サービス装置からの認証要求を受け付けて認証処理を行う認証サービス装置とを備える情報処理システムであって、
前記中継サービス装置は、
前記中間サービス装置に認証要求と、処理実行要求とを送信する送信手段を備え、
前記中間サービス装置は、
前記中継サービス装置からの前記認証要求を前記認証サービス装置に送信し、認証に成功することで発行される第１のアクセストークンを前記認証サービス装置から取得する取得手段と
前記第１のアクセストークンを保存する記憶手段と、
前記処理実行要求を受け付けた時に、前記記憶手段に保存されている第１のアクセストークンと前記処理実行要求と共に送信される第２のアクセストークンが一致する場合、前記中間サービス装置から受け付けた処理を実行し、前記第１のアクセストークンと前記第２のアクセストークンが一致しない場合、前記処理を実行しない処理実行手段とを備えることを特徴とする情報処理システム。
【請求項２】
前記送信手段は、ユーザの認証情報と前記中継サービス装置の認証情報とを含めた認証要求を前記中間サービス装置に送信し、
前記取得手段は、前記認証サービス装置において前記ユーザの認証情報を用いて前記認証に成功しなかった場合は、前記中継サービス装置の認証情報を用いて前記ユーザの認証情報を前記認証サービス装置に登録する登録処理を実行することを特徴とする請求項１に記載の情報処理システム。
【請求項３】
前記認証サービス装置は前記ユーザの認証情報を保持する保持手段を備え、
前記取得手段は、前記認証サービス装置が前記ユーザの認証情報に対応する認証情報を保持している場合に、前記認証サービス装置が発行する前記第１のアクセストークンを取得することを特徴とする請求項１または請求項２に記載の情報処理システム。
【請求項４】
前記中間サービスは、前記中継サービス装置から受け取ったＰＤＦファイルをＪＰＥＧファイルに変換する画像変換サービスであることを特徴とする請求項１乃至請求項３のいずれか一項に記載の情報処理システム。
【請求項５】
ネットワークを介して提供装置がユーザに提供するサービスに関する中継処理を行う中継サービス装置と通信し、認証サービス装置に対して認証要求を行う中間サービス装置であって、
前記中継サービス装置から認証要求と処理実行要求とを受け付ける受付手段と、
前記認証要求を前記認証サービス装置に送信し、認証に成功することで発行される第１のアクセストークンを前記認証サービス装置から取得する取得手段と、
前記第１のアクセストークンを保存する記憶手段と、
前記処理実行要求を受け付けた時に、前記記憶手段に保存されている第１のアクセストークンと前記処理実行要求と共に送信される第２のアクセストークンが一致する場合、前記中間サービス装置から受け付けた処理を実行し、前記第１のアクセストークンと前記第２のアクセストークンが一致しない場合、前記処理を実行しない処理実行手段とを備えることを特徴とする中間サービス装置。
【請求項６】
印刷ジョブに含まれるデータを印刷装置が印刷可能なデータに変換する変換手段を更に備えることを特徴とする請求項５に記載の中間サービス装置。
【請求項７】
前記印刷可能なデータが不要となった場合、前記印刷可能なデータを削除する削除手段を更に備えることを特徴とする請求項５または６に記載の中間サービス装置。
【請求項８】
ネットワークを介して提供装置がユーザに提供するサービスに関する中継処理を行う中継サービス装置と通信する中間サービス装置から認証要求を受け付ける認証サービス装置であって、
ユーザの認証情報を保持する保持手段と、
前記中間サービス装置から前記認証要求を受信する受信手段と、
前記認証要求に含まれるユーザの認証情報と対応するユーザの認証情報を前記保持手段が保持する場合に、認証が成功した応答として前記中間サービス装置に対してアクセストークンを発行する発行手段とを備えることを特徴とする認証サービス装置。
【請求項９】
ネットワークを介して提供装置がユーザに提供するサービスに関する中継処理を行う中継サービス装置と、前記中継サービス装置と通信し前記サービスに関する関連処理を行う中間サービス装置と、前記中間サービス装置からの認証要求を受け付けて認証処理を行う認証サービス装置とを備える情報処理システムにおける認証方法であって、
前記中継サービス装置が、前記中間サービス装置に認証要求を行う要求工程と、
前記中間サービス装置が、前記中継サービス装置からの前記認証要求を前記認証サービス装置に送信し、認証に成功することで発行される第１のアクセストークンを前記認証サービス装置から取得する取得工程と、
前記中間サービス装置が、前記第１のアクセストークンを記憶手段に保存する保存工程と、
前記中間サービス装置が、前記中継サービス装置から処理実行要求を受け付けた時に、前記記憶手段に保存されている第１のアクセストークンと前記処理実行要求と共に送信される第２のアクセストークンが一致する場合、前記中間サービス装置から受け付けた処理を実行し、前記第１のアクセストークンと前記第２のアクセストークンが一致しない場合、前記処理を実行しない処理実行工程とを有することを特徴とする認証方法。
【請求項１０】
前記要求工程では、ユーザの認証情報と前記中継サービス装置の認証情報とを含めた認証要求を前記中間サービス装置に送信し、
前記取得工程では、前記認証サービス装置において前記ユーザの認証情報を用いて前記認証に成功しなかった場合は、前記中継サービス装置の認証情報を用いて前記ユーザの認証情報を前記認証サービス装置に登録する登録処理を実行することを特徴とする請求項９に記載の認証方法。
【請求項１１】
前記認証サービス装置は前記ユーザの認証情報を保持する保持手段を備えており、
前記取得工程では、前記認証サービス装置が前記ユーザの認証情報に対応する認証情報を保持している場合に、前記認証サービス装置が発行する前記第１のアクセストークンを取得することを特徴とする請求項９または請求項１０に記載の認証方法。
【請求項１２】
ネットワークを介して提供装置がユーザに提供するサービスに関する中継処理を行う中継サービス装置と通信し、認証サービス装置に対して認証要求を行う中間サービス装置が備えるコンピュータに実行させるコンピュータプログラムであって、
前記コンピュータに、
前記中継サービス装置から認証要求と処理実行要求とを受け付ける受付処理と、
前記認証要求を前記認証サービス装置に送信し、認証に成功することで発行される第１のアクセストークンを前記認証サービス装置から取得する取得処理と、
前記第１のアクセストークンを記憶手段に保存する保存処理と、
前記処理実行要求を受け付けた時に、前記記憶手段に保存されている第１のアクセストークンと前記処理実行要求と共に送信される第２のアクセストークンが一致する場合、前記中間サービス装置から受け付けた処理を実行し、前記第１のアクセストークンと前記第２のアクセストークンが一致しない場合、前記処理を実行しない制御処理とを実行させることを特徴とするコンピュータプログラム。
【請求項１３】
前記コンピュータに、
印刷ジョブに含まれるデータを印刷装置が印刷可能なデータに変換する変換処理をさらに実行させることを特徴とする請求項１２に記載のコンピュータプログラム。
【請求項１４】
前記コンピュータに、
前記印刷可能なデータが不要となった場合、前記印刷可能なデータを削除する削除処理をさらに実行させることを特徴とする請求項１２または１３に記載のコンピュータプログラム。
【請求項１５】
ネットワークを介して提供装置がユーザに提供するサービスに関する中継処理を行う中継サービス装置と通信する中間サービス装置から認証要求を受け付ける認証サービス装置が備えるコンピュータに実行させるコンピュータプログラムであって、
前記コンピュータに、
前記中間サービス装置から前記認証要求を受信する受信処理と、
前記認証要求に含まれるユーザの認証情報と対応するユーザの認証情報を前記認証サービス装置が備える保持手段が保持する場合に、認証が成功した応答として前記中間サービス装置に対してアクセストークンを発行する発行処理とを実行させることを特徴とするコンピュータプログラム。
【手続補正２】
【補正対象書類名】明細書
【補正対象項目名】００１３
【補正方法】変更
【補正の内容】
【００１３】
本発明の一実施形態の情報処理システムは、ネットワークを介して提供装置がユーザに提供するサービスに関する中継処理を行う中継サービス装置と、前記中継サービス装置と通信し前記サービスに関する関連処理を行う中間サービス装置と、前記中間サービス装置からの認証要求を受け付けて認証処理を行う認証サービス装置とを備える情報処理システムである。前記中継サービス装置は、前記中間サービス装置に認証要求と、処理実行要求とを送信する送信手段を備える。また、前記中間サービス装置は、前記中継サービス装置からの前記認証要求を前記認証サービス装置に送信し、認証に成功することで発行される第１のアクセストークンを前記認証サービス装置から取得する取得手段と、前記第１のアクセストークンを保存する記憶手段と、前記処理実行要求を受け付けた時に、前記記憶手段に保存されている第１のアクセストークンと前記処理実行要求と共に送信される第２のアクセストークンが一致する場合、前記中間サービス装置から受け付けた処理を実行し、前記第１のアクセストークンと前記第２のアクセストークンが一致しない場合、前記処理を実行しない処理実行手段とを備える。